(57)【要約】【課題】  画像のぼけを減少させることを可能にした画像表示装置及びそれを用いた電子機器を提供する。【解決手段】  表示部１３と、リモコン１４と、設定された画面アスペクト比に基づいて映像信号を処理して表示部１３に画像を表示させる画像処理部１２と、表示部１３の画素と映像信号の画素信号とを１：１で対応させたスルーモードを含む複数の画面アスペクト比が設定される記憶装置１６ａと、リモコン１４からの操作信号に基づいて記憶装置１６ａの画面アスペクト比を選択して画像処理部１２に設定する制御部１６とを備えたものである。【選択図】  図１
2006229813.tif 000002
【特許請求の範囲】
【請求項１】
各種の操作信号を入力する操作手段と、
表示部と、
設定された画面アスペクト比に基づいて映像信号を処理して前記表示部に画像を表示させる画像処理部と、
前記表示部の画素と前記映像信号の画素信号とを１：１で対応させたスルーモードを含む複数の画面アスペクト比が設定される記憶手段と、
前記操作手段からの操作信号に基づいて前記記憶手段の前記画面アスペクト比を選択して前記画像処理部に設定する制御部と
を備えたことを特徴とする画像表示装置。
【請求項２】
前記制御部は、前記表示部の垂直解像度と前記映像信号の垂直解像度とが所定の関係になったときに、前記記憶手段の前記スルーモードを有効にすることを特徴とする請求項１記載の画像表示装置。
【請求項３】
前記制御部は、前記表示部の垂直解像度と前記映像信号の垂直解像度とが、
表示部の垂直解像度＊０．７５≦映像信号の垂直解像度≦表示部の垂直解像度＊１．０８、であるときに、前記記憶手段の前記スルーモードを有効にする設定することを特徴とする請求項２記載の画像表示装置。
【請求項４】
前記映像信号の垂直解像度を検出し、前記制御部に出力する信号検出部を備えたことを特徴とする請求項２又は３記載の画像表示装置。
【請求項５】
前記記憶手段は、前記スルーモードを含まない複数の画面アスペクト比からなる第１のテーブルと、前記スルーモードを含んだ複数の画面アスペクト比からなる第２のテーブルとを備え、
前記制御手段は、前記表示部の垂直解像度とが前記映像信号の垂直解像度と所定の関係になったときに、前記第２のテーブルを選択することを特徴とする請求項２〜４の何れかに記載の画像表示装置。
【請求項６】
前記制御手段は、前記操作手段の操作信号に基づいて前記第２のテーブルから前記画面アスペクト比を選択して前記画像処理部に設定することを特徴とする請求項５記載の画像表示装置。
【請求項７】
前記操作手段は、画面アスペクト比を変更するためのアスペクト変更ボタンを備え、
前記記憶手段の第２のテーブルには、画面アスペクト比が４：３のノーマルモードと、画像を表示部の全画面領域に表示するフルモードと、前記スルーモードとが少なくとも含まれており、
前記制御手段は、前記アスペクト変更ボタンが押される度に、前記ノーマルモード、前記フルモード及び前記スルーモードの各モードを順次切り替えて前記画像処理部に設定することを特徴とする請求項６記載の画像表示装置。
【請求項８】
請求項１〜７の何れかに記載の画像表示装置を搭載したことを特徴とする電子機器。
【発明の詳細な説明】
【技術分野】
【０００１】
本発明は、画像表示装置及びそれを搭載した電子機器に関し、特に表示部の表示画像の画面アスペクト比に関する。
【背景技術】
【０００２】
従来の画像表示装置は、映像信号のブランク期間に入っているアスペクト信号やアスペクトボタンによるユーザー選択モードにより、ズームや、ワイド、スクイーズなど画面アスペクト比を変更している（例えば特許文献１）。
【特許文献１】特開平５−９１４３５号公報
【発明の開示】
【発明が解決しようとする課題】
【０００３】
従来の画像表示装置の画像アスペクト比の制御については、表示デバイスのドット数が考慮されないために、デジタルフィルタ等の拡大・縮小処理により近接画素との干渉が起こり画像がぼけるという問題点があった。
【０００４】
本発明は、このような問題点を解決するためになされたものであり、画像のぼけを減少させることを可能にした画像表示装置及びそれを用いた電子機器を提供することを目的とする。
【課題を解決するための手段】
【０００５】
本発明に係る画像表示装置は、各種の操作信号を入力する操作手段と、表示部と、設定された画面アスペクト比に基づいて映像信号を処理して前記表示部に画像を表示させる画像処理部と、前記表示部の画素と前記映像信号の画素信号とを１：１で対応させたスルーモードを含む複数の画面アスペクト比が設定される記憶手段と、前記操作手段からの操作信号に基づいて前記記憶手段の前記画面アスペクト比を選択して前記画像処理部に設定する制御部とを備えたものである。本発明においては、スルーモードが選択された場合には、表示部の画素に映像信号の画素信号が１：１に対応し、映像信号の画素信号が表示部の画素にそのまま反映されるので、画像のぼけを減少させことが可能になっており、鮮明な画像が得られる。
【０００６】
本発明に係る画像表示装置において、前記制御部は、前記表示部の垂直解像度と前記映像信号の垂直解像度とが所定の関係になったときに、前記記憶手段の前記スルーモードを有効にする設定をする。本発明においては、表示部の垂直解像度と映像信号の垂直解像度とが所定の関係になったときに、映像信号の画素信号を表示部の画素にそのまま反映させるようにしており、表示部の画面の大きさと映像信号の画像の大きさとを考慮して、見易い画像が得られるようにしている。
【０００７】
本発明に係る画像表示装置において、前記制御部は、前記表示部の垂直解像度と前記映像信号の垂直解像度とが、
表示部の垂直解像度＊０．７５≦映像信号の垂直解像度≦表示部の垂直解像度＊１．０８、であるときに、前記記憶手段に前記スルーモードを有効にする。本発明においては、表示部の画面の大きさと映像信号の画像の大きさとが上記の条件を満たしているときには、映像信号の画像をそのまま表示部の画面に反映させても支障がないものとして、前記スルーモードを有効にする。なお、スルーモードを有効にするということは、スルーモードを選択の対象に含めることを意味している。
【０００８】
本発明に係る画像表示装置は、映像信号の垂直解像度を検出し、前記制御部に出力する信号検出部を備えたものである。本発明においては、信号検出部は映像信号の垂直解像度を検出して制御部に出力しており、制御部はその垂直解像度に基づいて上記の演算処理をする。
【０００９】
本発明に係る画像表示装置において、前記記憶手段は、前記スルーモードを含まない複数の画面アスペクト比からなる第１のテーブルと、前記スルーモードを含んだ複数の画面アスペクト比からなる第２のテーブルとを備え、前記制御手段は、前記表示部の垂直解像度と前記映像信号の垂直解像度とが所定の関係になったときに、前記第２のテーブルを選択する。本発明においては、表示部の垂直解像度と映像信号の垂直解像度とが所定の関係になったときに第２のテーブルが選択され、スルーモードが選択の対象となり、スルーモードの画面アスペクト比の画像を視聴者が見ることができる。
【００１０】
本発明に係る画像表示装置において、前記制御手段は、前記操作部の操作信号に基づいて前記第２のテーブルから前記画面アスペクト比を選択して前記画像処理部に設定する。本発明においては、操作部の操作信号に基づいて第２のテーブルから画面アスペクト比が選択されて画像処理部に設定され、画像処理部はその画面アスペクト比に基づいて画像を生成するので、視聴者が操作手段を操作することにより、スルーモードの画面アスペクト比の画像を視聴者が見ることができる。
【００１１】
本発明に係る画像表示装置において、前記操作手段は、画面アスペクト比を変更するためのアスペクト変更ボタンを備え、前記記憶手段の第２のテーブルには、画像アスペクト比が４：３のノーマルモードと、画像を表示部の全画面領域に表示するフルモードと、前記スルーモードとが少なくとも含まれており、前記制御手段は、前記アスペクト変更ボタンが押される度に、前記ノーマルモード、前記フルモード及び前記スルーモードの各モードを順次切り替えて前記画像処理部に設定する。本発明においては、アスペクト変更ボタンを押す度に、ノーマルモード、フルモード及びスルーモードの各モードを任意に切り替えて表示部に表示させることができる。
【００１２】
本発明に係る電子機器は、上記の画像表示装置を搭載したものである。
【発明を実施するための最良の形態】
【００１３】
実施形態１．
図１は本発明の実施形態１に係る画像表示装置の構成を示したブロック図である。この画像表示装置１は、信号検出部１１、画像処理部１２、表示部１３、リモートコントローラ（以下リモコンという）１４、リモコン受信部１５及び制御部１６を備えている。信号検出部１１は、映像信号を取り込んで、その映像信号の水平周波数及び垂直走査線数をそれぞれ計測し、水平周波数を水平解像度に変換し、垂直走査線数を垂直解像度に変換して、水平解像度及び垂直解像度を映像信号とともに画像処理部１２に出力する。また、信号検出部１１は、後述のアスペクトモードの追加処理のために、映像信号の垂直解像度を制御部１６に出力する。画像処理部１２は、各種の画像処理をするものであるが、本実施形態においては、画面アスペクト比の設定による画像の拡大・縮小に注目した説明を行うものとする。画像処理部１２は、制御部１６からの制御信号（画面アスペクト比）と、映像信号の水平解像度及び垂直解像度とに基づいて、映像信号の拡大又は縮小の処理をデジタルフィルタ等を用いて行って表示部１３に出力し、表示部１３は画像処理部１２からの映像信号に基づいて映像を表示する。なお、表示部１３は例えば液晶ディスプレイを内蔵しているものとする。
【００１４】
リモコン１４は各種の操作信号を出力するものであるが、本実施形態においては特にアスペクト変更ボタン１４ａを備えており、アスペクト変更ボタン１４ａが押されることによりその操作信号がリモコン受信部１５に出力する。リモコン受信部１５は、リモコン１４からの操作信号を受信すると制御部１６に出力する。制御部１６は、内蔵した記憶装置１６ａにアスペクトモードテーブル（図２参照）が格納されており、リモコン受信部１５を介してアスペクト変更ボタン１４ａの操作信号を入力すると、アスペクトモードテーブルを参照してその該当するモードの画面アスペクト比の制御信号を画像処理部１２に出力して映像信号の拡大処理又は縮小処理を行わせて、所望の画面アスペクト比の画像を表示部１３に表示させる。また、制御部１６は、表示部１３の大きさと映像信号による画像の大きさとの関係から、後述のスルーモードを自動的に追加する機能を持っており、表示部１３の垂直解像度を求めておいて、その求められた垂直解像度と入力した映像信号の解像度と対比することにより所定の条件を満たしたときに、映像信号について拡大・縮小の処理をしないスルーモードを追加して選択対象となるようにする処理をする。
【００１５】
図２は図１の制御部１６の記憶装置１６ａに格納されているアスペクトモードテーブルである。テーブル１にはノーマルモード及びフルモードが設定されており、ノーマルモードは縦横の比を３：４とするものであり、フルモードは表示部１３の画面の大きさ一杯に画像を拡大処理するものであり、テーブル１が選択されているときには、ノーマルモードとフルモードとがアスペクト変更ボタン１４ａの操作によって適宜切り替えらことになる。テーブル２にはノーマルモード、フルモード及びスルーモードが設定されている。スルーモードは、映像信号について拡大・縮小の処理をしないで、その映像信号の持つ大きさに対応した画像が表示部１３において得られるようにしたものであり、前記表示部の画素と映像信号の画素信号とが１：１で対応させるものである。テーブル２が選択されているときには、ノーマルモード、フルモード及びスルーモードがアスペクト変更ボタン１４ａの操作によって適宜切り替えられることになる。
【００１６】
図３は図１の画像処理装置１の動作を示したフローチャートであり、ここではアスペクトモードの追加処理を説明する。
制御部１６は、信号検出部１１から映像信号の垂直解像度が入力したかどうかを判断し（Ｓ１１）、映像信号の垂直解像度が入力している場合には、表示部１３の垂直解像度と映像信号の垂直解像度とが、
表示部の垂直解像度＊０．７５≦映像信号の垂直解像度≦表示部の垂直解像度＊１．０８
…（１）
であるときには、図２のテーブル１からテーブル２に切り替えることにより、スルーモードが選択対象となるようにする。なお、上記の（１）式は、例えば映像信号の解像度が１２８０＊７２０サイズの例では、表示部１３の解像度の７５％〜１０８％の範囲に設定することにより、ＳＶＧＡ及びＸＧＡの解像度の表示部１３においてスルーモードによる表示ができる。
【００１７】
図４は図１の制御部１６の動作を示したフローチャートであり、ここではアスペクトモードの切り替え処理を説明する。
ユーザーがリモコン１４のアスペクト変更ボタン１４ａを押すと、その操作信号がリモコン受信部１５を介して制御部１６に送信される（Ｓ２１）。制御部１６は、アスペクトモードテーブル（図２参照）から現在のモード番号を検索する（Ｓ２２）。制御部１６は、アスペクトテーブルにモード番号＋１があるかどうかを判定する（Ｓ２３）。制御部１６は、図２のアスペクトテーブルにモード番号＋１があるという判定をした場合には、現在のモード番号に「１」を加算し（Ｓ２４）、そのモード番号の画面アスペクト比を設定する（Ｓ２５）。なお、モード番号は初期設定として「１」が設定されているものとし（ノーマルモードが設定されている）、ここでは現在のモード番号に「１」を加算することによりモード番号は「２」になり、画像の表示モードはノーマルモードからフルモードに切り替えられることになる。
【００１８】
ユーザーがリモコン１４のアスペクト変更ボタン１４ａを再び押すと、上述の処理が繰り返され（Ｓ２１〜Ｓ２５）、モード番号は「３」になり、画像の表示モードはフルモードからスルーモードに切り替えられたことになる。更に、ユーザーがリモコン１４のアスペクト変更ボタン１４ａを押すと、上述の処理が繰り返されて（Ｓ２１〜Ｓ２３）、制御部１６は、アスペクトテーブルにモード番号＋１があるかどうかを判定した際（Ｓ２３）に、この例ではモード番号４はないので、モード番号＋１はないという判定をすることになり、モード番号を「１」に設定し（Ｓ２６）、そのモード番号の画像アスペクト比を設定する（Ｓ２５）。ここではモード番号は「１」になり、画像の表示モードはスルーモードからノーマルモードに切り替えられることになる。
【００１９】
図５はアスペクト変更ボタン１４ａの操作によるアスペクトモードの切り替えの態様を示した説明図である。アスペクト変更ボタン１４ａを操作する度に、ノーマルモード→フルモード→スルーモード→ノーマルモード、という具合に切り替わる。画像処理部１２は、上述のように、映像信号の水平解像度、垂直解像度及び制御部１６により設定されたモード（画面アスペクト比）とに基づいて映像信号を処理し、設定されたモード（画面アスペクト比）に対応した画像が表示部１３に表示される。
【００２０】
以上のように本実施形態においては、テーブル２にはノーマルモード、フルモード及びスルーモードが含まれており、アスペクト変更ボタン１４ａの操作によりスルーモードを選択すると、映像信号の画素信号が表示部１３の画素にそのまま反映されるので、表示部（液晶ディスプレイ）１３の能力を最大限に引き出すことができる。このため、従来のような画像ぼけを減少させることが可能になっており、鮮明な画像が得られる。また、表示部１３の垂直解像度に近い垂直解像度の映像信号のときに（上記（１）式参照）、テーブル２を選択し、スルーモードの設定が可能になっており、表示部１３の表示画面には画像ぼけがなく、且つ適切な大きさの画像が得られる。また、アスペクト変更ボタン１４ａを操作するだけで画面アスペクト比を任意に切り替えることができるので、使い勝手のよいものとなっている。
【００２１】
実施形態２．
図６は図１の画像処理装置を内蔵したリアプロジェクタ型テレビ受像機の正面図であり、入力映像の画像の大きさに応じてスルーモードが選択対象となり、ノーマルモード、フルモード及びスルーモードの任意の表示態様が得られる。
【００２２】
実施形態３．
なお、上述の実施形態においては、画像表示装置を搭載した電子機器の例としてリアプロジェクタ型テレビ受像機について説明したが、他の形式のテレビ受像機や、パソコン等の他の機器に搭載してもよい。また、上記の実施形態においては、３つのモードを切り替える例について説明したが、本発明においてはその例に限定されるものではなく、スルーモードが含まれるのであればそのモードの設定数は任意である。また、表示部１３は液晶ディスプレイを内蔵した例について説明したが、有機ＥＬディスプレイ、プラズマディスプレイを用いたものにも同様に適用することができる。
【図面の簡単な説明】
【００２３】
【図１】本発明の実施形態１に係る画像表示装置の構成を示したブロック図。
【図２】アスペクトモードテーブル。
【図３】制御部の動作を示したフローチャート（その１）。
【図４】制御部の動作を示したフローチャート（その２）。
【図５】アスペクト変更ボタンの操作によるアスペクトモードの切り替えの態様を示した説明図。
【図６】本発明の実施形態２に係るリアプロジェクタ型テレビ受像機の正面図。
【符号の説明】
【００２４】
１１ 信号検出部、１２ 画像処理部、１３ 表示部、１４ リモコン、１４ａ アスペクト変更ボタン、１５ リモコン受信部、１６ 制御部、１６ａ 記憶装置。
【図１】
2006229813.tif 000003
【図２】
2006229813.tif 000004
【図３】
2006229813.tif 000005
【図４】
2006229813.tif 000006
【図５】
2006229813.tif 000007
【図６】
2006229813.tif 000008